(57)【要約】【課題】拡大ミラーの略全面を拡大ミラーとして有効に活用でき、拡大ミラーを貼り付けた面と拡大ミラーとの一体感を持たせつつ、照度の低い場所であっても拡大ミラーが貼り付けられた位置を容易に把握できる拡大ミラーを提供する。【解決手段】拡大ミラー１は、可視光を透過する平板の一方の面に互いに異なる直径を有する複数の環状溝１０５が同心円状に設けられ、平面視にて直線部１１０を含むフレネルレンズ１００と、複数の環状溝１０５の表面に設けられる反射層１２０とを有する拡大部１０と、直線部１１０を開放した状態で拡大部１０を保持すると共に着色された保持部材２０とを備える。【選択図】図２
2014041266.tif 000002
【特許請求の範囲】
【請求項１】
可視光を透過する平板の一方の面に互いに異なる直径を有する複数の環状溝が同心円状に設けられ、平面視にて直線部を含むフレネルレンズと、
前記複数の環状溝の表面に設けられる反射層と
を有する拡大部と、
前記直線部を開放した状態で前記拡大部を保持すると共に着色された保持部材と
を備える拡大ミラー。
【請求項２】
前記保持部材が、前記直線部が開放された状態で前記拡大部が嵌め込まれる嵌め込み部を有する請求項１に記載の拡大ミラー。
【請求項３】
前記反射層の前記複数の環状溝側表面の反対側表面を覆う塗料層と、
前記反射層の端面を被覆する端面被覆部とを更に備える請求項２に記載の拡大ミラー。
【請求項４】
前記拡大部及び前記保持部材を一体的に保持する粘着テープ層
を更に備え、
前記フレネルレンズ及び前記保持部材が樹脂材料から形成される請求項３に記載の拡大ミラー。
【請求項５】
平面ミラーに貼り付けられる拡大ミラーであって、
前記粘着テープ層により前記平面ミラーに貼り付けられた場合、前記直線部が平面視にて前記平面ミラーとの境界になる請求項４に記載の拡大ミラー。
【発明の詳細な説明】
【技術分野】
【０００１】
本発明は、拡大ミラーに関する。特に、本発明は、平面ミラー若しくは壁面に貼り付けることができる拡大ミラーに関する。
【背景技術】
【０００２】
従来、プラスチック製の凸レンズを鏡の表面に取り付けて拡大像を映す拡大鏡が知られている（例えば、特許文献１参照。）。特許文献１に記載の拡大鏡によれば、非球面にして収差を取り除いたプラスチック凸レンズを、軟質粘着プラスチックを介して鏡に貼り付けることにより拡大反射像を得るができる。
【先行技術文献】
【特許文献】
【０００３】
【特許文献１】特開２００７−１２７６８７号公報
【発明の概要】
【発明が解決しようとする課題】
【０００４】
しかし、特許文献１に記載されているような拡大鏡においては、レンズの外周付近では十分な拡大像が得られず、かつ、レンズの外周の全てが枠で覆われているので、ユーザーが拡大鏡に拡大像を映す場合、ユーザーは視線及び／又は顔を大きく移動させなければならない。また、特許文献１に記載されているような拡大鏡においては、照度の低い場所において用いる場合、平面ミラーのいずれの位置に拡大鏡が存在しているのかユーザーにとって分かりにくい場合がある。
【０００５】
したがって、本発明の目的は、拡大ミラーの略全面を拡大ミラーとして有効に活用でき、拡大ミラーを貼り付けた面と拡大ミラーとの一体感を持たせつつ、照度の低い場所であっても拡大ミラーが貼り付けられた位置を容易に把握できる拡大ミラーを提供することにある。
【課題を解決するための手段】
【０００６】
本発明は、上記目的を達成するため、可視光を透過する平板の一方の面に互いに異なる直径を有する複数の環状溝が同心円状に設けられ、平面視にて直線部を含むフレネルレンズと複数の環状溝の表面に設けられる反射層とを有する拡大部と、直線部を開放した状態で拡大部を保持すると共に着色された保持部材とを備える拡大ミラーが提供される。
【０００７】
また、上記拡大ミラーにおいて、保持部材が、直線部が開放された状態で拡大部が嵌め込まれる嵌め込み部を有することもできる。
【０００８】
また、上記拡大ミラーにおいて、反射層の複数の環状溝側表面の反対側表面を覆う塗料層と、反射層の端面を被覆する端面被覆部とを更に備えることもできる。
【０００９】
また、上記拡大ミラーにおいて、拡大部及び保持部材を一体的に保持する粘着テープ層を更に備え、フレネルレンズ及び保持部材を樹脂材料から形成してもよい。
【００１０】
また、上記拡大ミラーにおいて、平面ミラーに貼り付けられる拡大ミラーであって、粘着テープ層により平面ミラーに貼り付けられた場合、直線部を平面視にて平面ミラーとの境界にすることもできる。
【発明の効果】
【００１１】
本発明に係る拡大ミラーによれば、拡大ミラーの略全面を拡大ミラーとして有効に活用でき、拡大ミラーを貼り付けた面と拡大ミラーとの一体感を持たせつつ、照度の低い場所であっても拡大ミラーが貼り付けられた位置を容易に把握できる拡大ミラーを提供できる。
【図面の簡単な説明】
【００１２】
【図１】実施の形態に係る拡大ミラーが平面ミラーに貼り付けられている状態を示す図である。
【図２】実施の形態に係る拡大ミラーの平面図である。
【図３】図２に示すＡ−Ａ線における拡大ミラーの部分断面図である。
【図４】図２におけるＢ−Ｂ線における拡大ミラーの部分断面図である。
【図５】実施の形態に係るフレネルレンズの複数の環状溝の形状を模式的に示す部分断面図である。
【発明を実施するための形態】
【００１３】
［実施の形態］
図１は、本発明の実施の形態に係る拡大ミラーが平面ミラーの表面の一部に貼り付けられている状態の一例を示す。また、図２は、本発明の実施の形態に係る拡大ミラーの平面図を示す。
【００１４】
（拡大ミラー１の概要）
本実施の形態に係る拡大ミラー１は、平面ミラー２又は壁面に貼り付けられて用いられる拡大ミラー１であって、拡大部１０と拡大部１０の外周の一部を開放させた状態で拡大部１０を保持する保持部材２０とを備える。具体的に、拡大ミラー１は、可視光を透過する平板の一方の面に互いに異なる直径を有する複数の環状溝１０５が同心円状に設けられ、平面視にて直線部１１０を含むフレネルレンズ１００と、複数の環状溝１０５の表面に設けられる反射層１２０とを有する拡大部１０と、直線部１１０を開放した状態で拡大部１０を保持すると共に着色された保持部材２０とを備える。ここで、本実施の形態に係るフレネルレンズ１００の形状は、平面視にて略矩形である。
【００１５】
なお、本実施の形態に係る拡大ミラー１及び／又は平面ミラー２が表された図面においては、説明の便宜上、拡大ミラー１、平面ミラー２、及び拡大ミラー１を構成する各構成部材の寸法と実際の寸法とは異なる場合がある。
【００１６】
平面ミラー２は、室外での照度や室内の窓際での照度に比べて低い照度の場所、例えば、航空機の化粧室内、鉄道、キャンピングカー等の移動車両内、ホテル等の宿泊施設の化粧室内、又は公共施設の化粧室内等に備え付けられて用いられる。そして、本実施の形態に係る拡大ミラー１は、平面ミラー２の表面の任意の位置、又は移動車両内若しくは化粧室内の任意の場所に貼り付けることができる。
【００１７】
拡大ミラー１を平面ミラー２に貼り付けると、拡大部１０の外周の一部が開放された直線部１１０によって拡大ミラー１と平面ミラー２との境界が形成される。この場合、拡大部１０と平面ミラー２との間に保持部材２０が存在しないので、拡大部１０と平面ミラー２とは、平面視で実質的に連続する。
【００１８】
ここで、円形であって縁のある従来の拡大ミラーを平面ミラー２に貼り付けると、ユーザーが自身の顔の拡大像を当該円形の拡大ミラーに映す場合、当該円形の拡大ミラーの中心付近に対応する位置までユーザーは顔を移動させることを要する。また、当該円形の拡大ミラーの外周すべてに縁が設けられている場合、当該縁は鏡としての機能を有さないので平面ミラー２の機能を阻害する領域が増加する。更に、当該縁を超えてユーザーは顔を移動させることを要する。
【００１９】
一方、本実施の形態に係る拡大ミラー１を用いると、直線部１１０による境界で拡大ミラー１と平面ミラー２とが連続的につながっているので、拡大ミラー１と平面ミラー２との一体感を高めることができると共に、平面ミラー２から拡大ミラー１への視線及び／又は顔の移動距離を低減できる。また、拡大部１０は平面視にて略矩形であるので、従来の円形の拡大ミラーに比べて平面ミラー２の領域を有効に活用できる。したがって、平面ミラー２を狭い場所に設置した場合であっても、拡大ミラー１が貼り付けられていない平面ミラー２の領域をユーザーがわざわざ探すことを要さなくなる。
【００２０】
また、保持部材２０は、直線部１１０を除き、拡大部１０の外周を囲んで拡大部１０を保持すると共に着色されている。したがって、ユーザーは、照度の低い環境下においても保持部材２０の色によって、平面ミラー２に対する拡大ミラー１の位置を容易に把握できる。
【００２１】
図３は、図２に示すＡ−Ａ線における拡大ミラーの部分断面の一例を模式的に示す。更に、図４は、図２におけるＢ−Ｂ線における拡大ミラーの部分断面の一例を模式的に示す。
【００２２】
（拡大部１０）
拡大部１０は、フレネルレンズ１００と、フレネルレンズ１００の一方の面に設けられる複数の環状溝１０５と、複数の環状溝１０５の表面を被覆する反射層１２０と、反射層１２０の複数の環状溝１０５側の表面の反対側表面を覆う塗料層１３０とを有する。
【００２３】
（フレネルレンズ１００）
平板状のフレネルレンズ１００は、一方の面に同心円状に設けられる複数の環状溝１０５により凹面フレネルレンズとして機能する。複数の環状溝１０５はそれぞれ、鏡面として機能する第一斜面１０７と、第二斜面１０９とで構成される。すなわち、フレネルレンズ１００の一方の面に設けられる複数の環状溝１０５はそれぞれ、フレネルレンズ１００の縦断面において、フレネルレンズ１００の面１１５に対して予め定められた傾斜角を有して形成される第一斜面１０７と、第一斜面１０７に隣接して第一斜面１０７の傾斜角とは異なる傾斜角を有して形成される第二斜面１０９とを含む。第二斜面１０９は、第一斜面１０７の端部に連続して設けられ、第一斜面１０７の表面の法線方向に沿った方向に伸びて形成される。
【００２４】
また、フレネルレンズ１００は、可視光を透過する樹脂材料から形成される。樹脂材料は、難燃性で透明の樹脂材料を用いることが好ましい。例えば、フレネルレンズ１００は、可視光を透過するアクリル樹脂、ポリスチレン樹脂、ポリエチレンテレフタレート（ＰＥＴ）、ポリ塩化ビニル（ＰＶＣ）、ポリアリレート（ＰＡＲ）、又はポリカーボネートを用いて形成することができる。難燃性及び／又は自己消火性の観点からは、ポリカーボネートを用いてフレネルレンズ１００を形成することが好ましい。
【００２５】
本実施の形態に係るフレネルレンズ１００の大きさは特に限定されないが、例えば、平面視にて略矩形状を有し、長辺が１５０ｍｍ程度、短辺が８０ｍｍ程度、厚さが１ｍｍ程度である。また、環状溝１０５の幅は０．０１ｍｍ以上１．０ｍｍ以下であり、複数の環状溝１０５の間隔は０．１ｍｍ以上０．５ｍｍ以下である。なお、２つの長辺のうち一方の長辺が本実施の形態に係る直線部１１０に該当する。また、フレネルレンズ１００の４つの頂点の一部若しくはすべてを、予め定められた曲率半径を有する円弧形状にすることができる。
【００２６】
（反射層１２０）
反射層１２０は、フレネルレンズ１００の複数の環状溝１０５の表面に形成される。反射層１２０は、フレネルレンズ１００の面１１５に入射した光を面１１５側に反射できる厚さを有して形成される。反射層１２０は、金属材料を用いて形成される。例えば、反射層１２０は、アルミニウム、銀、クロム、ステンレス、又はハステロイ（登録商標）等の金属材料から形成できる。また、反射層１２０は、互いに異なる金属材料、及び／又は誘電体材料を用いた多層構造を有することもできる。例えば、反射層１２０は、複数の環状溝１０５の表面側から順に、アルミニウム層、二酸化ケイ素層（ＳｉＯ２層）を含んで形成することができる。なお、当該ＳｉＯ２層は、アルミニウム層の破損及び劣化を防止する。
【００２７】
（塗料層１３０）
塗料層１３０は、反射層１２０の複数の環状溝１０５側表面の反対側表面を覆う。塗料層１３０は、金属を用いて形成される反射層１２０の腐食を抑制する。また、塗料層１３０は、拡大ミラー１の製造工程において拡大部１０の裏面、すなわち、フレネルレンズ１００の面１１５の反対側の面の表面に傷がつくことを防止する。
【００２８】
また、塗料層１３０は、複数の塗料層から形成することができる。例えば、塗料層１３０は、反射層１２０の側から、第一塗料層、第二塗料層を含んで構成することができる。この場合、第一塗料層は、反射層１２０の腐食及び破損を抑制する。第一塗料層は、例えば、アルキド樹脂を主成分とする塗料を用いて形成できる。また、第二塗料層は、例えば、アクリル樹脂若しくはウレタン樹脂を含む耐水性を有する塗料から形成できる。
【００２９】
（保持部材２０）
保持部材２０は、フレネルレンズ１００の直線部１１０を開放した状態で拡大部１０が嵌め込まれる嵌め込み部２００を有する。また、保持部材２０は、照度の低い環境下においても平面ミラー２に対する拡大ミラー１の位置をユーザーに容易に把握させることを目的として着色されている。例えば、本実施の形態に係る保持部材２０の色は、アイスピンク又はキールブルーにすることができる。
【００３０】
保持部材２０は樹脂材料から形成される。樹脂材料は難燃性の樹脂材料を用いることが好ましい。例えば、保持部材２０は、アクリル樹脂、ポリスチレン樹脂、ポリエチレンテレフタレート（ＰＥＴ）、ポリ塩化ビニル（ＰＶＣ）、ポリアリレート（ＰＡＲ）、又はポリカーボネートを用いて形成することができる。難燃性及び／又は自己消火性の観点からは、ポリカーボネートを用いて保持部材２０を形成することが好ましい。また、保持部材２０は、一例として、長辺が３４５ｍｍ程度であり、短辺が９０ｍｍ程度である矩形内に収まる大きさで形成され、拡大部１０の厚さと実質的に同一の厚さ（例えば、１ｍｍ程度）を有して形成される。そして、保持部材２０は、平面視にて、拡大部１０の直線部１１０を開放すると共に、直線部１１０を除く他の複数の外周に接する形状を有して形成される。
【００３１】
（嵌め込み部２００）
嵌め込み部２００は、拡大部１０の平面視における外周形状に対応する形状を有する。具体的に嵌め込み部２００は、平面視にて互いに向き合う短辺部２０５及び短辺部２０７と、短辺部２０５と短辺部２０７とを連結する長辺部２１５とで構成される。なお、短辺部２０５と長辺部２１５との間、及び短辺部２０７と長辺部２１５との間は、所定の曲率半径を有する円弧部２１０で連結されている。
【００３２】
嵌め込み部２００は、拡大部１０の外周に密着することで拡大部１０を保持する。具体的に、嵌め込み部２００に拡大部１０が嵌め込まれることにより、保持部材２０に拡大部１０が保持される。なお、フレネルレンズ１００の中心から嵌め込み部２００の短辺部２０５及び短辺部２０７への垂線の長さはそれぞれ同一であり、フレネルレンズ１００の中心から嵌め込み部２００の長辺部２１５への垂線の長さと直線部１１０への垂線の長さとは同一である。
【００３３】
（表示領域３０）
表示領域３０は、保持部材２０の拡大部１０を保持する部分を除く領域の一部に設けられる。表示領域３０には、拡大ミラー１の機能を示す文字、図形、記号若しくはこれらの結合又はこれらと色彩との結合が表示される。例えば、表示領域３０には、上段に「ＫｏｍｙＭｉｒｒｏｒ（登録商標）」を配置し、下段に「Ｍａｇｎｉ  Ｕｎｉｖｅｒｓａｌ」を配置した文字列を表示することができる。なお、「Ｍａｇｎｉ」には「拡大する」という意味が込められているので、拡大ミラー１を利用するユーザーは、表示領域３０の表示を参照することで、拡大ミラー１の使用目的について一目で把握できる。
【００３４】
（粘着テープ層４０）
粘着テープ層４０は、拡大部１０及び保持部材２０を一体的に保持する。具体的に粘着テープ層４０は、拡大部１０及び保持部材２０の裏面としての面１３５の全面に密着する。これにより、粘着テープ層４０は、拡大部１０及び保持部材２０を保持する。また、粘着テープ層４０は、難燃性の材料から形成されることが好ましい。例えば、粘着テープ層４０は、１ｍｍ程度の厚さを有する薄膜形状のアクリルフォームの両面にアクリル系粘着剤が設けられた両面テープである。
【００３５】
（端面被覆部５０）
端面被覆部５０は、反射層１２０の端面１２２を被覆する。図３及び図４に示すように、端面被覆部５０は、少なくとも反射層１２０の端面１２２を含む領域を被覆する。本実施の形態に係る端面被覆部５０は、拡大部１０の端部の全面を被覆するが、端面１２２及び端面１２２の近傍を被覆する限り、拡大部１０の端面の全部を被覆しなくてもよい。端面被覆部５０は、防水性を発揮する塗料から形成することができる。例えば、端面被覆部５０は、ウレタン塗料若しくはアクリル樹脂を含む塗料から形成できる。
【００３６】
（表面保護層６０）
表面保護層６０は、フレネルレンズ１００の他方の面１１５の表面を被覆する。表面保護層６０は、紫外線の照射により硬化するＵＶ硬化樹脂を用いて形成することができる。表面保護層６０は、例えば、数十μｍの厚さを有する。表面保護層６０はフレネルレンズの面１１５を被覆することで、面１１５に傷がつくことを抑制する。
【００３７】
図５は、本発明の実施の形態に係るフレネルレンズの複数の環状溝の形状を模式的に示す部分断面の一例である。
【００３８】
本実施の形態に係るフレネルレンズ１００の一方の面に形成されている複数の環状溝１０５においては、フレネルレンズ１００の外周から中心に向かうにしたがって、フレネルレンズ１００の面１１５に対する第一斜面１０７の傾斜角が順に小さくなる。例えば、フレネルレンズ１００の外周から環状溝１０５ａ、環状溝１０５ｂ、及び環状溝１０５ｃが形成されている場合、環状溝１０５ａの第一斜面１０７ａの傾斜角、環状溝１０５ｂの第一斜面１０７ｂの傾斜角、環状溝１０５ｃの第一斜面１０７ｃの傾斜角の順に傾斜角は小さくなる。これに伴い、フレネルレンズ１００の縦断面において、第一斜面１０７ａに隣接する第二斜面１０９ａ、第一斜面１０７ｂに隣接する第二斜面１０９ｂ、第一斜面１０７ｃに隣接する第二斜面１０９ｃの順に、第二斜面の縦断面における長さが短くなる。
【００３９】
（変形例）
本実施の形態に係る拡大ミラー１は、保持部材２０が２つの拡大部１０を保持している。一方、本実施の形態の変形例に係る拡大ミラーは、保持部材２０が１つの拡大部１０又は３つ以上の複数の拡大部１０を保持することもできる。この場合、保持部材２０は、保持する拡大部１０の数に応じた嵌め込み部２００を有する。
【００４０】
また、本実施の形態に係るフレネルレンズ１００は、平面視にて略矩形であり、外周の一部に直線部１１０を有する。一方、本実施の形態の変形例に係るフレネルレンズは、外周の一部に形成される直線部の領域の一部に、曲線部分を含むこともできる。
【００４１】
また、本実施の形態に係る保持部材２０は全体が着色されている。一方、本実施の形態の変形例に係る保持部材は、嵌め込み部２００の外周付近と当該外周付近を除く部分とで異なる色を着色することもできる。この場合、嵌め込み部２００の外周付近の色は、当該外周付近を除く部分の色よりも視認しやすい色にすることが好ましい。なお、保持部材２０の色は、ユーザーが容易に把握することができる色である限り、アイスピンク又はキールブルーとは異なる色にすることもできる。
【００４２】
（拡大ミラー１の製造方法の概要）
本実施の形態に係る拡大ミラー１は、以下の工程を経て製造することができる。まず、樹脂材料の成形により厚さが１．０ｍｍ程度のフレネルレンズ１００を形成する（フレネルレンズ形成工程）。続いて、フレネルレンズ１００の複数の環状溝１０５の表面に、金属材料を真空蒸着することで数十ｎｍ以上数百ｎｍ以下程度の厚さの反射層１２０を形成する（反射層形成工程）。この金属材料は、本実施の形態においてはアルミニウムである。
【００４３】
次に、反射層１２０の表面に、厚さが数十μｍの第一塗料層を塗装して形成する（第一塗料層形成工程）。更に、第一塗料層の表面に耐水性を有する塗料を塗装して厚さが数十μｍ程度の第二塗料層を形成する（第二塗料層形成工程）。第一塗料層と第二塗料層とで塗料層１３０が構成される。そして、フレネルレンズ１００の複数の環状溝１０５が形成されている面の反対側の面１１５にＵＶ硬化樹脂を用いて表面保護層６０を形成する（表面保護層形成工程）。これにより、拡大部形成用の基板が形成される。
【００４４】
続いて、予め定められた拡大部１０の形状に合わせて拡大部形成用の基板を切断する（切断工程）。そして、切断面にウレタン塗料を塗布して端面被覆部５０を形成する（端面被覆部形成工程）。これにより、拡大部１０が形成される。
【００４５】
一方、所定の樹脂板に切断加工を施して、予め定められた形状の保持部材２０を形成する（保持部材形成工程）。ここで、切断加工の前又は切断加工の後に、保持部材２０の表面の表示領域３０内に所定の文字列を印刷若しくは塗装により形成することもできる。
【００４６】
次に、粘着テープ層４０としての両面テープに保持部材２０を貼り付ける（貼り付け工程）。そして、嵌め込み部２００に拡大部１０を嵌め込む（嵌め込み工程）。これにより、本実施の形態に係る拡大ミラー１が製造される。
【００４７】
（実施の形態の効果）
実施の形態に係る拡大ミラー１は、略矩形の拡大部１０を有するので、円形の拡大ミラーと異なり、拡大ミラー１の角度調節及び高さ調節を要さない。したがって、拡大ミラー１が貼り付けられた平面ミラー２を使用するユーザーの身長によらず、ユーザーは自己の拡大像を拡大ミラー１に映すことができる。これにより、本実施の形態に係る拡大ミラー１によれば、ユーザーが身体的に障害を有する場合（例えば、ユーザーが車椅子を利用している場合）や拡大ミラー１を利用する複数のユーザーそれぞれの身長が大きく異なる場合であっても、ユーザーは自身の拡大像を容易に見ることができる。
【００４８】
また、円形の拡大ミラーを用いる場合、当該円形の拡大ミラーの外周付近の像は円弧で切られてしまうので当該外周付近は拡大ミラーとしての用をなさない。更に平面ミラー２に貼り付けられているので、当該外周付近は平面ミラーを覆う。一方、本実施の形態に係る拡大ミラー１は略矩形の拡大部１０を有するので、拡大部１０の略全面を拡大ミラーとして用いることができると共に、拡大部１０の直線部１１０と平面ミラー２との境界は実質的に直線状であるので、円形の拡大ミラーに比べ、平面ミラー２の機能を阻害することを抑制できる。これにより、本実施の形態に係る拡大ミラー１によれば、拡大部１０の略全面を拡大ミラーとして用いることができると共に、円形の拡大ミラーに比べて拡大ミラーとして用いることができない領域を除去でき、拡大ミラー１をより軽量化できる。
【００４９】
また、拡大ミラー１を構成する各構成要素の主成分に、難燃性の樹脂材料を用いることができる。この場合、本実施の形態に係る拡大ミラー１は、難燃性の向上を目的として金属板を含むことを要さないので従来の拡大ミラーより軽量である。これにより、軽量化が求められる用途、例えば、航空機の化粧室内に用いられる拡大ミラー用途に本実施の形態に係る拡大ミラー１は適している。更に、拡大ミラー１は実質的に樹脂材料から形成されているので、拡大ミラー１の廃棄時に金属材料と樹脂材料とを分別することを要さない。
【００５０】
また、拡大ミラー１の裏面には粘着テープ層４０が設けられている。これにより、拡大ミラー１を平面ミラー２若しくは室内の任意の壁面に特別な工事を要さずに取り付けることができる。
【００５１】
また、拡大ミラー１の反射層１２０の端面１２２は端面被覆部５０により被覆されている。また、反射層１２０はフレネルレンズ１００と塗料層１３０とに挟まれている。したがって、反射層１２０は外部から隔離され、外気に触れることがない。これにより、本実施の形態に係る反射層１２０が腐食することを防止できるので、反射層１２０の機能が失われることを防止できる。
【００５２】
また、拡大ミラー１の保持部材２０は着色されている。これによりユーザーは、照度の低い環境下においても拡大ミラー１が存在している場所を容易に把握できる。
【００５３】
また、粘着テープ層４０により拡大ミラー１を平面ミラー２に貼り付けた場合、直線部１１０が平面視にて平面ミラー２との境界になる。これにより、ユーザーは、平面ミラー２と拡大ミラー１の拡大部１０とを同時に利用することができると共に、拡大ミラーが円形の場合に比べて視線及び／又は顔を移動させる距離を短くできる。したがって、拡大ミラー１の利用に際するユーザーの満足感を高めることができる。
【００５４】
以上、本発明の実施の形態を説明したが、上記に記載した実施の形態は特許請求の範囲に係る発明を限定しない。また、実施の形態の中で説明した特徴の組合せのすべてが発明の課題を解決するための手段に必須であるとは限らない点に留意すべきである。
【符号の説明】
【００５５】
１  拡大ミラー
２  平面ミラー
１０  拡大部
２０  保持部材
３０  表示領域
４０  粘着テープ層
５０  端面被覆部
６０  表面保護層
１００  フレネルレンズ
１０５、１０５ａ、１０５ｂ、１０５ｃ  環状溝
１０７、１０７ａ、１０７ｂ、１０７ｃ  第一斜面
１０９、１０９ａ、１０９ｂ、１０９ｃ  第二斜面
１１０  直線部
１１５  面
１２０  反射層
１２２  端面
１３０  塗料層
１３５  面
２００  嵌め込み部
２０５、２０７  短辺部
２１０  円弧部
２１５  長辺部
【図１】
2014041266.tif 000003
【図２】
2014041266.tif 000004
【図３】
2014041266.tif 000005
【図４】
2014041266.tif 000006
【図５】
2014041266.tif 000007